(57)【要約】【課題】天板を支持する支柱を天板外周より外側にオフセットされた位置に配置することにより、カバー体の着脱や配線作業を楽に行うことができ、支柱の組み付け取外しも容易に行えるようにしたテーブル等の支柱取付け構造を提供すること。【解決手段】支柱４ａは天板２外周より外側にオフセットされた位置に配置すると共に、その周面の一部が上下方向に開口する管状の脚柱１０と、この脚柱１０内に上下方向に沿って設けられる配線収納溝Ｈとが一体に形成されたもので、開口が着脱自在なカバー体１８により閉塞可能であり、配線収納溝Ｈとカバー体１８とで配線が収納可能な空間が形成され、かつ、支柱４ａの頂部にネジ部Ｔ１，Ｔ２を形成し、一端側で天板２を支持するブラケット５の他端側にネジ部Ｔ１，Ｔ２と対向する通孔Ｈ１，Ｈ２が形成され、ブラケットは通孔Ｈ１，Ｈ２を介して支柱４ａに螺着する。【選択図】  図２
2004159698.tif 000002
【特許請求の範囲】
【請求項１】
天板と、ブラケットの一端側を介して該天板を支える支柱とを有するテーブル等の支柱取付け構造であって、前記支柱は天板外周より外側にオフセットされた位置に配置すると共に、その周面の一部が上下方向に開口する管状の脚柱と、該脚柱内に上下方向に沿って設けられる配線収納溝とが一体に形成されたもので、前記開口が着脱自在なカバー体により閉塞可能であり、前記配線収納溝とカバー体とで配線が収納可能な空間が形成され、かつ、前記支柱の頂部にネジ部を形成し、前記ブラケットの他端側に前記ネジ部と対向する通孔が形成され、前記ブラケットを前記通孔を介して支柱に螺着したことを特徴とするテーブル等の支柱取付け構造。
【請求項２】
前記ブラケットと支柱上面とは面接合状態で対接している請求項１に記載のテーブル等の支柱取付け構造。
【請求項３】
前記支柱のネジ部と、ブラケットの通孔が複数設けられている請求項１または２に記載のテーブル等の支柱取付け構造。
【請求項４】
前記支柱の頂部に溝部を形成し、前記ブラケットの前記溝部との対向部には該溝部に嵌合可能な突部が備えられている請求項１ないし３の何れかに記載のテーブル等の支柱取付け構造。
【請求項５】
前記ブラケットは、その上面に上部支柱用の取付部が形成されている請求項１ないし４の何れかに記載のテーブル等の支柱取付け構造。
【発明の詳細な説明】
【０００１】
【発明の属する技術分野】
本発明は、天板と、ブラケットの一端側を介して該天板を支える支柱とを有するテーブル等の支柱取付け構造に関する。
【０００２】
【従来の技術】
従来、テーブルや机等の配線が収納可能な天板支持脚は、天板ブラケットを天板支持脚に取り付けた後に、このブラケットを天板に取り付けるのが一般的であり（特許文献１、２参照）、配線の取付け取外しは支持脚の開口に設けたカバー体を取り外して行っていた。
【０００３】
【特許文献１】
特開２００１−１２８７４７号公報（第２，３頁、図１，３）
【特許文献２】
特開２００１−１２８７５１号公報（第２，３頁、図１，３）
【０００４】
【発明が解決しようとする課題】
しかしながら、上記特許文献１、２に記載のものは、天板支持脚が天板の真下にあるために、配線作業を天板の下で行わなければならず不自然な作業姿勢を強いられた。また、支持脚だけを取り外そうとする場合は、天板を取り外してからでないと取り外せなかった。
【０００５】
本発明は、このような状況に鑑みてなされたもので、天板を支持する支柱を天板外周より外側にオフセットされた位置に配置することにより、カバー体の着脱や配線作業を楽に行うことができ、支柱の組み付け取外しも容易に行えるようにしたテーブル等の支柱取付け構造を提供することを目的とするものである。
【０００６】
【課題を解決するための手段】
上記課題を解決するために、本発明のテーブル等の支柱取付け構造は、天板と、ブラケットの一端側を介して該天板を支える支柱とを有するテーブル等の支柱取付け構造であって、前記支柱は天板外周より外側にオフセットされた位置に配置すると共に、その周面の一部が上下方向に開口する管状の脚柱と、該脚柱内に上下方向に沿って設けられる配線収納溝とが一体に形成されたもので、前記開口が着脱自在なカバー体により閉塞可能であり、前記配線収納溝とカバー体とで配線が収納可能な空間が形成され、かつ、前記支柱の頂部にネジ部を形成し、前記ブラケットの他端側に前記ネジ部と対向する通孔が形成され、前記ブラケットを前記通孔を介して支柱に螺着したことを特徴としている。
この特徴によれば、支柱が天板外周より外側にオフセットされた位置に配置されているために、カバー体の着脱や配線作業を天板の下に潜り込んで行う必要がなく、楽な姿勢で作業を行うことができる。また、ブラケットの一端側が天板に他端側が支柱に取り付けられるので、支柱の組み付け取外しも容易に行える。
【０００７】
本発明のテーブル等の支柱取付け構造において、前記ブラケットと支柱上面とは面接合状態で対接していることが好ましい。
このようにすれば、ブラケットの天板取付け側を水平に延出させることができる。
【０００８】
本発明のテーブル等の支柱取付け構造において、前記支柱のネジ部と、ブラケットの通孔が複数設けられていることが好ましい。
このようにすれば、螺着部が増えるので、ブラケットを支柱に強固に取り付けることができる。
【０００９】
本発明のテーブル等の支柱取付け構造において、前記支柱の頂部に溝部を形成し、前記ブラケットの前記溝部との対向部には該溝部に嵌合可能な突部が備えられていることが好ましい。
このようにすれば、ブラケットを支柱に取り付ける際に、ブラケットの突部を支柱の溝部に嵌合させることにより、取付けのための位置決めが容易にできる。
【００１０】
本発明のテーブル等の支柱取付け構造において、前記ブラケットは、その上面に上部支柱用の取付部が形成されていることが好ましい。
このようにすれば、支柱が天板外周より外側にオフセットされた位置に配置され、ブラケットの上面に上部支柱用の取付部を形成することで、テーブルとしての利用形態の幅が広がる。
【００１１】
【発明の実施の形態】
以下、本発明の実施形態を図面に基づいて説明する。図１は本発明の一実施形態に係るテーブル等の支柱取付け構造が採用された一対の天板支持脚と、天板支持脚間に取り付けられる幕板との関係を示す分解斜視図である。
【００１２】
符号１はテーブルであって、このテーブル１は、天板２と、この天板２を支持する支柱としての４本の天板支持脚４ａ、４ｂ（他の２本は不図示）とを備え、天板２の一端側に配置された一対の天板支持脚４ａ、４ｂ（以下支柱と称する）は、天板２の横幅より外側にオフセットされた位置に隣接して立脚しており、天板２は支柱４ａ、４ｂ上端に内側に向けて突設したブラケット５の上面に止着支持されている。
【００１３】
一対の支柱４ａ、４ｂの対向する内側面の上下には、幕板８取付け用のブラケット６がそれぞれ取り付けられており、これら４つのブラケット６にビスを介して幕板８が止着されている。
【００１４】
この幕板８は、天板２一端側外周の円弧に沿って平面視円弧状に湾曲した断面形状であって、一対の支柱４ａ、４ｂ下端から天板２の上面までを覆う高さで形成されている。
【００１５】
一対の支柱４ａ、４ｂ間に取り付けられた湾曲状の幕板８の上端には、天板２の一端側外周に沿った図示しない所定の開口部が形成されており、この開口部を配線コード等の通過空間として使用することができるようになっている。
【００１６】
次に、支柱取付け構造に付き図２及び図３を参照して説明する。図２は支柱取付け構造を示す分解斜視図、図３は支柱上端に天板が取り付けられた状態を示す部分斜視図である。尚、一対の支柱４ａ、４ｂを構成する脚柱１０は同一構造で構成されているので、以下一方の支柱４ａに付き説明する。
【００１７】
図２に示すように、支柱４ａは、楕円形状の断面を有し扁平な片側側面の一部を長軸側に沿って開口し、その両端縁から内方に向けて延設する一対の取付け面１４ａ、１４ｂが形成された管状の脚柱１０と、仕切板１１に凹設され上下方向に連なる円弧状の配線収納溝Ｈと、この取付け面１４ａ、１４ｂの内端縁にそれぞれ突設した一対の突条リブ１５ａ、１５ｂとから構成されている。
【００１８】
なお、本実施例で用いられている支柱は、軽量化の目的で、管状の脚柱１０と配線収納溝Ｈが形成されている仕切板１１とが一体に成形（例えば押し出し成形）されたものを使用しているが、特にこれに限定されるものではない。
【００１９】
配線収納溝Ｈには、一対の上下方向に延びる凹状の係止部１６ａ、１６ｂが形成され、これら係止部１６ａ、１６ｂには後述するカバー体１８が係止されるようになっている。この配線収納溝Ｈとカバー体１８で配線空間が形成される。
【００２０】
またカバー体１８は、脚柱１０に形成される一対の取付け面１４ａ、１４ｂの開口を閉塞するものであって、横幅が取付け面１４ａ、１４ｂ両端縁間の寸法より若干狭い寸法で形成されており、脚柱１０の外周形状に連続する楕円の一部となる円弧状に形成され、脚柱１０全長と略同一長さになるように形成されている。
【００２１】
更にカバー体１８の湾曲内面には、先端に外方を向く係止部となる係止突起を形成した一対のリブ２０が長手方向に沿って突出し、対向する凹状の係止部１６ａ、１６ｂに弾力的に係合するよう形成されている。
【００２２】
また、脚柱１０の上端には、所定位置にねじ孔Ｈ１が形成されているブラケット５の一端側に形成したトップカバーＴＣが、ボルトＢ１、Ｂ２を介して雌ねじＴ、Ｔ２１に螺合することで取り付けられるようになっており、ブラケット５の他端側は天板２を止着支持するためのボルト孔が形成されている。なお、ねじ孔Ｈ１は図示しない上部支柱用の取付部として予備的に設けられている。
【００２３】
トップカバーＴＣにはボルトＢ１、Ｂ２のための通孔Ｈ２、Ｈ３が形成され、かつ脚柱１０の上端に形成した位置決め穴ｈ１に嵌合可能な一対の位置決めピンＰ１が下方に向けて突設している。そして、トップカバーＴＣの位置決めピンＰ１を位置決め穴ｈ１に嵌入してボルトＢ１、Ｂ２で脚柱１０の上端にトップカバーＴＣを螺着すると、トップカバーＴＣの下面とを脚柱１０の上端面は面接合状態で対接することになる。
【００２４】
また、トップカバーＴＣの上面には外周形状が脚柱１０の外周に対応する楕円形状の化粧板２４を取り付けるための一対の位置決め穴ｈ２が形成されており、化粧板２４は、その裏面に突設した一対の位置決めピンＰ２をそれぞれ位置決め穴ｈ２に嵌合することで、図３に示すように、トップカバーＴＣの上面に装着することができる。
【００２５】
従って、上記のように構成された支柱取付け構造によれば、支柱４ａを構成する脚柱１０が、天板２外周より外側にオフセットされた位置に配置されているために、カバー体１８の着脱や配線作業を天板２の下に潜り込んで行う必要がなく、楽な姿勢で作業を行うことができる。また、ブラケット５の一端側が天板２に、他端側が脚柱１０に取り付けられるので、脚柱１０の組み付け取外しも容易に行える。
【００２６】
また、脚柱１０の上端とブラケット５とは面接合状態で対接しているので、ブラケット５の天板取付け側を水平に延出させることができる。
【００２７】
更に、脚柱１０上端面のねじ穴Ｔ１、Ｔ２と、トップカバーＴＣの通孔Ｈ２、Ｈ３が複数設けられて螺着部が増えるので、ブラケット５を脚柱１０に強固に取り付けることができる。
【００２８】
そして、脚柱１０の頂部に位置決め穴ｈ１を形成し、トップカバーＴＣの上記位置決め穴ｈ１との対向部には嵌合可能な突部となる一対の位置決めピンＰ１が備えられているので、ブラケット５を支柱に取り付ける際に、トップカバーＴＣの位置決めピンＰ１を脚柱１０頂部の位置決め穴ｈ１に嵌合させることにより、取付けのための位置決めが容易にできる
【００２９】
そしてまた、ブラケット５は、これと一体的に構成されるトップカバーＴＣの上面に、図示しない上部支柱取付用のねじ孔Ｈ１が形成されているので、脚柱１０が天板２外周より外側にオフセットされた位置に配置され、また、トップカバーＴＣの上面に上部支柱用の取付部が形成されるので、必要により上部支柱を取り付け、その支柱を利用して棚などを取り付ければテーブル１としての利用形態の幅を広げることができる。
【００３０】
【発明の効果】
本発明は以下の効果を奏する。
【００３１】
（ａ）請求項１項の発明によれば、支柱が天板外周より外側にオフセットされた位置に配置されているために、カバー体の着脱や配線作業を天板の下に潜り込んで行う必要がなく、楽な姿勢で作業を行うことができる。また、ブラケットの一端側が天板に他端側が支柱に取り付けられるので、支柱の組み付け取外しも容易に行える。
【００３２】
（ｂ）請求項２項の発明によれば、ブラケットの天板取付け側を水平に延出させることができる。
【００３３】
（ｃ）請求項３項の発明によれば、螺着部が増えるので、ブラケットを支柱に強固に取り付けることができる。
【００３４】
（ｄ）請求項４項の発明によれば、ブラケットを支柱に取り付ける際に、ブラケットの突部を支柱の溝部に嵌合させることにより、取付けのための位置決めが容易にできる。
【００３５】
（ｅ）請求項５項の発明によれば、支柱が天板外周より外側にオフセットされた位置に配置され、ブラケットの上面に上部支柱用の取付部を形成することで、テーブルとしての利用形態の幅が広がる。
【図面の簡単な説明】
【図１】本発明の一実施形態に係るテーブル等の支柱取付け構造が採用された一対の支柱と、支柱間に取り付けられる幕板との関係を示す分解斜視図である。
【図２】支柱取付け構造を示す分解斜視図である。
【図３】支柱上端に天板が取り付けられた状態を示す部分斜視図である。
【符号の説明】
１                    テーブル
２                    天板
４ａ、４ｂ            天板支持脚（支柱）
５                    ブラケット
６                    ブラケット
８                    幕板
１０                  脚柱
１１                  仕切板
１４ａ、１４ｂ        取付け面
１５ａ、１５ｂ        突条リブ
１６ａ、１６ｂ        係止部
１８                  カバー体
２０                  リブ
２４                  化粧板
Ｂ１、Ｂ２            ボルト
Ｈ                    配線収納溝
ｈ１、ｈ２            位置決め穴
Ｈ１                  ねじ孔
Ｈ２、Ｈ３            通孔
Ｐ１、Ｐ２            位置決めピン
Ｔ１、Ｔ２            ねじ穴
ＴＣ                  トップカバー
【図１】
2004159698.tif 000003
【図２】
2004159698.tif 000004
【図３】
2004159698.tif 000005